【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
スキャン又は記憶媒体からのデータ読み取りによって見本メディアの画像を取り込み可能な取込手段と、前記取込手段で取り込んだ画像データに基づき印刷を実行する印刷実行手段とを備えた印刷装置において、
前記取込手段で取り込んだ前記見本メディアの画像データを、印刷先であるメディアの印刷範囲に合わせて加工する画像処理手段と、
前記画像処理手段による加工後の画像データに基づき、前記印刷実行手段を動作させて前記画像を前記メディアに印刷させる制御手段と
を備えたことを特徴とする印刷装置。
【請求項２】
前記取込手段は、前記見本メディアの画像をスキャンによって取り込むスキャナ装置であることを特徴とする請求項１に記載の印刷装置。
【請求項３】
前記スキャナ装置で取り込んだ前記見本メディアの画像データには、該見本メディアの外周にスキャン処理で生じる影部分が含まれており、
前記画像処理手段は、前記画像データのうち前記影部分の画素をマスクして、該マスクされた画素を印刷時に前記メディアに対して色を付けないデータとすることを特徴とする請求項２に記載の印刷装置。
【請求項４】
前記見本メディアは、外形が円板形状で中央に孔部を有する形状であり、
前記画像処理手段は、印刷不要部分である前記見本メディアの影部分と、中央の孔部と、前記影部分の外側部分との画素をマスクして、該マスクされた画素を印刷時に前記メディアに対して色を付けないデータとすることを特徴とする請求項３に記載の印刷装置。
【請求項５】
前記見本メディアのサイズを識別する識別手段を備え、
前記画像処理手段は、前記識別手段の識別結果に基づき、前記画像データのうち前記見本メディアのサイズに応じた影部分の画素をマスクすることを特徴とする請求項３又は４に記載の印刷装置。
【請求項６】
前記取込手段は、前記記憶媒体に記憶された画像データを読み取って前記画像を取り込む読取装置であることを特徴とする請求項１〜５のうちいずれか一項に記載の印刷装置。
【請求項７】
前記画像処理手段は、印刷対象である前記メディアの印刷範囲に基づき、前記読取装置で読み取った前記画像データのうち前記印刷範囲に相当する領域を印刷すべき領域として設定し、その設定結果に基づき前記印刷範囲に相当する画素の画像データを展開し、印刷時に前記メディアからはみ出す画素を印刷不要部分としてマスクすることを特徴とする請求項６に記載の印刷装置。
【請求項８】
前記メディアへ印刷する画像のレイアウト情報を選択設定時するときに操作される操作手段を備え、
前記画像処理手段は、前記操作手段で設定された前記レイアウト情報に基づき、そのレイアウトを反映させて前記印刷範囲に相当する画素の画像データを展開し、印刷不要部分の画素をマスクすることを特徴とする請求項７に記載の印刷装置。
【請求項９】
前記画像処理手段は、前記メディアへ印刷する画像として複数の画像が選択される場合には、前記印刷範囲を複数のレイアウト枠によって分割し、各レイアウト枠にレイアウトする前記画像毎に設定された前記レイアウト情報に基づき、前記印刷範囲に相当する画素の画像データを展開することを特徴とする請求項８記載の印刷装置。
【請求項１０】
前記レイアウト情報は、前記印刷範囲に前記画像をレイアウトするときの位置情報を示す座標値であり、
前記画像処理手段は、前記座標値に基づいて前記印刷範囲に相当する画素の画像データを展開することを特徴とする請求項８又は９に記載の印刷装置。
【請求項１１】
前記画像処理手段は、前記印刷範囲に相当する画素について展開する前記画像データを、該展開後の画像データを記憶する記憶部の容量に応じた所定のデータサイズ単位で順次展開することを特徴とする請求項７〜１０のうちいずれか一項に記載の印刷装置。
【請求項１２】
スキャン又は記憶媒体からのデータ読み取りによって見本メディアの画像を取り込み可能な取込手段と、前記取込手段で取り込んだ画像データに基づき印刷処理を実行する印刷実行手段とを備えた印刷装置に使用されるメディアへの印刷方法において、
画像処理手段は前記取込手段で取り込んだ前記見本メディアの画像データを、印刷先であるメディアの印刷範囲に合わせて加工し、制御手段は前記画像処理手段による加工後の画像データに基づき前記印刷実行手段を動作させて前記画像を前記メディアに印刷させることを特徴とするメディアへの印刷方法。
【請求項１３】
原稿台に載置された外形が円板形状で中央に孔部を有する形状の見本メディアをスキャンするスキャナ装置と、
前記スキャナ装置で取り込んだ前記見本メディアの画像データを、前記見本メディアと同形状の被印刷メディアの印刷範囲に合わせて加工する画像処理手段と、
前記画像処理手段による加工後の画像データに基づき、前記被印刷メディアに印刷を実行する印刷実行手段と、
を備え、
前記画像処理手段は、予め記憶されたマスク情報を用いて前記画像データのうち影部分の画素をマスクして、該マスクされた画素を印刷時に前記被印刷メディアに対して色を付けないデータとすることを特徴とする印刷システム。
【請求項１４】
前記スキャナ装置は、第１解像度とそれよりも高解像度の第２解像度で前記見本メディアを読み取り可能であって、前記スキャナ装置は、前記第１解像度のプレスキャンで前記見本メディアを読み取り、前記プレスキャンの結果に基づき決定された前記見本メディアと前記見本メディアの影部分とを含む領域を前記第２解像度の本スキャンで読み取ることを特徴とする請求項１３記載の印刷システム。
【請求項１５】
前記見本メディア及び前記被印刷メディアの各々はＣＤ−ＲもしくはＤＶＤ−Ｒであり、
スキャン印刷を用いたＣＤ−ＲもしくはＤＶＤ−Ｒ印刷モードが設定されたとき、前記スキャナ装置は、前記プレスキャン及び前記本スキャンを実行して前記見本メディアの画像データを前記被印刷メディアにコピーすることを特徴とする請求項１４記載の印刷システム。
【手続補正２】
【補正対象書類名】明細書
【補正対象項目名】発明の名称
【補正方法】変更
【補正の内容】
【発明の名称】印刷装置、メディアへの印刷方法及び印刷システム
【手続補正３】
【補正対象書類名】明細書
【補正対象項目名】０００１
【補正方法】変更
【補正の内容】
【０００１】
本発明は、例えばホストコンピュータに接続することなく装置単体で印刷が可能な印刷装置、メディアへの印刷方法及び印刷システムに関する。
【手続補正４】
【補正対象書類名】明細書
【補正対象項目名】０００９
【補正方法】変更
【補正の内容】
【０００９】
本発明では、前記スキャナ装置で取り込んだ前記見本メディアの画像データには、該見本メディアの外周にスキャン処理で生じる影部分が含まれており、前記画像処理手段は、前記画像データのうち前記影部分の画素をマスクして、該マスクされた画素を印刷時に前記メディアに対して色を付けないデータとする。この構成によれば、スキャン装置により見本メディアをスキャンすると、その画像データには見本メディアの影部分が生じてしまうが、スキャン処理で生じる見本メディアの影部分の画素をマスクするので、メディア印刷したときにメディアに影部分（黒色）が印刷されずに済む。
【手続補正５】
【補正対象書類名】明細書
【補正対象項目名】００１０
【補正方法】変更
【補正の内容】
【００１０】
本発明では、前記見本メディアは、外形が円板形状で中央に孔部を有する形状であり、前記画像処理手段は、印刷不要部分である前記見本メディアの影部分と、中央の孔部と、前記影部分の外側部分との画素をマスクして、該マスクされた画素を印刷時に前記メディアに対して色を付けないデータとする。この構成によれば、外形が円板形状で中央に孔部を有するメディアに印刷を行う場合、印刷すべき画像データの中でスキャン時に生じる影部分と、中央の孔部と、影部分の外側部分との各画素をマスクするので、この種のメディアに印刷を行っても、不必要な箇所に印刷を行うことがなく、好適な印刷結果が得られる。
【手続補正６】
【補正対象書類名】明細書
【補正対象項目名】００１８
【補正方法】変更
【補正の内容】
【００１８】
本発明では、スキャン又は記憶媒体からのデータ読み取りによって見本メディアの画像を取り込み可能な取込手段と、前記取込手段で取り込んだ画像データに基づき印刷処理を実行する印刷実行手段とを備えた印刷装置に使用されるメディアへの印刷方法において、画像処理手段は前記取込手段で取り込んだ前記見本メディアの画像データを、印刷先であるメディアの印刷範囲に合わせて加工し、制御手段は前記画像処理手段による加工後の画像データに基づき前記印刷実行手段を動作させて前記画像を前記メディアに印刷させる。
本発明では、印刷システムは、原稿台に載置された外形が円板形状で中央に孔部を有する形状の見本メディアをスキャンするスキャナ装置と、前記スキャナ装置で取り込んだ前記見本メディアの画像データを、前記見本メディアと同形状の被印刷メディアの印刷範囲に合わせて加工する画像処理手段と、前記画像処理手段による加工後の画像データに基づき、前記被印刷メディアに印刷を実行する印刷実行手段と、を備え、前記画像処理手段は、予め記憶されたマスク情報を用いて前記画像データのうち影部分の画素をマスクして、該マスクされた画素を印刷時に前記被印刷メディアに対して色を付けないデータとする。
本発明では、前記スキャナ装置は、第１解像度とそれよりも高解像度の第２解像度で前記見本メディアを読み取り可能であって、前記スキャナ装置は、前記第１解像度のプレスキャンで前記見本メディアを読み取り、前記プレスキャンの結果に基づき決定された前記見本メディアと前記見本メディアの影部分とを含む領域を前記第２解像度の本スキャンで読み取る。
本発明では、前記見本メディア及び前記被印刷メディアの各々はＣＤ−ＲもしくはＤＶＤ−Ｒであり、スキャン印刷を用いたＣＤ−ＲもしくはＤＶＤ−Ｒ印刷モードが設定されたとき、前記スキャナ装置は、前記プレスキャン及び前記本スキャンを実行して前記見本メディアの画像データを前記被印刷メディアにコピーする。